(57)【要約】【課題】複製が出来ないように、網点基本を暗から明（または明から暗）の網点ごとに変化させた偽造防止の網点スクリーンの作成方法、製版用刷版および印刷物を提供する。【解決手段】動画データの時間軸をｎ分割する変化分割手段と、明度の増減をｎ分割する明度分割手段と、変化度段階と明度段階とをそれぞれを組み合わせる網点スクリーン作成手段を備え、前記網点スクリーン作成手段は、第ｎ網点を第ｎ変化度段階かつ第ｎ明度段階として、順々に網点スクリーンを得ることを特徴とする、変化が視認できる動画データに基づく網点スクリーンの作成方法。【選択図】図９
2018051851.tif 000002
【特許請求の範囲】
【請求項１】
変化が視認できる動画データ（Ｄ）に基づく網点スクリーンの作成方法であって、
前記動画データ（Ｄ）は、動画の明度（Ｂ）が増減する環境下で撮影されたもの、または、明度（Ｂ）が増減するように加工されたものであり、
網点スクリーンの作成方法は、
動画データ（Ｄ）の時間軸（Ｔ）を第１〜第ｎ（ｎは２以上の自然数とする）変化度段階（Ｔ１、Ｔ２、Ｔ３・・・Ｔｎ−１、Ｔｎ）に分割する変化分割手段と、
前記明度（Ｂ）の増減を第１〜第ｎ明度段階（Ｂ１、Ｂ２、Ｂ３・・・Ｂｎ−１、Ｂｎ）に分割する明度分割手段と、
前記第１〜第ｎ変化度段階（Ｔ１、Ｔ２、Ｔ３・・・Ｔｎ−１、Ｔｎ）と前記第１〜第ｎ明度段階（Ｂ１、Ｂ２、Ｂ３・・・Ｂｎ−１、Ｂｎ）とをそれぞれを組み合わせる網点スクリーン作成手段を備え、
前記網点スクリーン作成手段は、
第１網点（Ｈ１）を第１変化度段階（Ｔ１）かつ第１明度段階（Ｂ１）とし、
第２網点（Ｈ２）を第２変化度段階（Ｔ２）かつ第２明度段階（Ｂ２）とし、
第３網点（Ｈ３）を第３変化度段階（Ｔ３）かつ第３明度段階（Ｂ３）とし、・・・
第ｎ−１網点（Ｈｎ−１）を第ｎ−１変化度段階（Ｔｎ−１）かつ第ｎ−１明度段階（Ｂｎ−１）とし、
第ｎ網点（Ｈｎ）を第ｎ変化度段階（Ｔｎ）かつ第ｎ明度段階（Ｂｎ）として、
網点スクリーン（Ｈ１、Ｈ２、Ｈ３・・・Ｈｎ−１、Ｈｎ）を得るものである
ことを特徴とする網点スクリーンの作成方法。
【請求項２】
前記動画データ（Ｄ）の前記明度（Ｂ）の増減は、
前記時間軸（Ｔ）の始点から終点に応じて、
明度０％〜５％から明度９５％〜１００％に増加または
明度１００％〜９５％から明度５％〜０％に減少するものである
ことを特徴とする請求項１記載の網点スクリーンの作成方法。
【請求項３】
前記明度（Ｂ）の増減は前記時間軸（Ｔ）の始点から終点に応じて明度が増加する前記動画データ（Ｄ）であって、
前記第１網点（Ｈ１）の暗部面積率をＳとし、
前記第ｎ網点（Ｈｎ）の暗部面積率をＦとし、
前記網点スクリーン（Ｈ１、Ｈ２、Ｈ３・・・Ｈｎ−１、Ｈｎ）の暗部面積率それぞれは、
前記第１網点（Ｈ１）＝Ｓ、
前記第２網点（Ｈ２）＝Ｓ−［（Ｓ−Ｆ）／（ｎ−１）］×（２−１）、
前記第３網点（Ｈ３）＝Ｓ−［（Ｓ−Ｆ）／（ｎ−１）］×（３−１）、・・・・
前記第ｎ−１網点（Ｈｎ−１）＝Ｓ−［（Ｓ−Ｆ）／（ｎ−１）］×（ｎ−２）、
前記第ｎ網点（Ｈｎ）＝Ｓ−［（Ｓ−Ｆ）／（ｎ−１）］×（ｎ−１）＝Ｆ  とした
ことを特徴とする請求項１又は２に記載の網点スクリーンの作成方法。
【請求項４】
前記明度（Ｂ）の増減は前記時間軸（Ｔ）の始点から終点に応じて明度が減少する前記動画データ（Ｄ）であって、
前記第１網点（Ｈ１）の暗部面積率をＳとし、
前記第ｎ網点（Ｈｎ）の暗部面積率をＦとし、
前記網点スクリーン（Ｈ１、Ｈ２、Ｈ３・・・Ｈｎ−１、Ｈｎ）の暗部面積率それぞれは、
前記第１網点（Ｈ１）＝Ｓ、
前記第２網点（Ｈ２）＝Ｓ＋［（Ｆ−Ｓ）／（ｎ−１）］×（２−１）、
前記第３網点（Ｈ３）＝Ｓ＋［（Ｆ−Ｓ）／（ｎ−１）］×（３−１）、・・・・
前記第ｎ−１網点（Ｈｎ−１）＝Ｓ＋［（Ｆ−Ｓ）／（ｎ−１）］×（ｎ−２）、
前記第ｎ網点（Ｈｎ）＝Ｓ＋［（Ｆ−Ｓ）／（ｎ−１）］×（ｎ−１）＝Ｆ  とした
ことを特徴とする請求項１又は２に記載の網点スクリーンの作成方法。
【請求項５】
前記網点スクリーンの作成方法は、さらに各コマ明度調整手段を備え、
各コマ明度調整手段は、
前記動画データ（Ｄ）を、縦＝Ｙドット、横＝Ｘドット、コマ数＝ｎコマの動画とし、
任意の変化率定数をａとし任意の初期定数をｂとし、
前記網点スクリーン（Ｈ１、Ｈ２、Ｈ３・・・Ｈｎ−１、Ｈｎ）のドット数それぞれを、
前記第１網点（Ｈ１）＝［（１／ｎ）×ａ＋ｂ］×ＸＹ、
前記第２網点（Ｈ２）＝［（２／ｎ）×ａ＋ｂ］×ＸＹ、
前記第３網点（Ｈ３）＝［（３／ｎ）×ａ＋ｂ］×ＸＹ、・・・・
前記第ｎ−１網点（Ｈｎ−１）＝［{（ｎ−１）／ｎ}×ａ＋ｂ］×ＸＹ、
前記第ｎ網点（Ｈｎ）＝［（ｎ／ｎ）×ａ＋ｂ］×ＸＹ  とする
ことを特徴とする請求項１乃至４のいずれかに記載の網点スクリーンの作成方法。
【請求項６】
前記動画データ（Ｄ）は、画質調整処理を施されたものである
ことを特徴とする請求項１乃至５のいずれかに記載の網点スクリーンの作成方法。
【請求項７】
前記動画データ（Ｄ）は、上下反転処理、左右反転処理、白黒反転処理、時間軸反転処理から選出される一または複数の反転処理をされたものであることを特徴とする請求項１乃至６のいずれかに記載の網点スクリーンの作成方法。
【請求項８】
請求項１乃至７のいずれかに記載の網点スクリーンの作成方法によって作成されたことを特徴とする製版用刷版。
【請求項９】
請求項８記載の製版用刷版を用いて作成されたことを特徴とする印刷物。
【発明の詳細な説明】
【技術分野】
【０００１】
本発明は、グレイスケールやカラーの画像を限られた色数（例えば、白い紙上の黒い点など）の小さな点のパターンで表す印刷技術に用いる網点スクリーンの作成方法、製版用刷版および印刷物に関する。
【背景技術】
【０００２】
従来、印刷物に明暗を表現する手法として、図１４に示すような網点スクリーン（ハーフトーンスクリーン）を例示することができる。図１４は、一般的な網点スクリーンである。
そして、明暗の表現のみに留まらず、図１５に示すような紙幣、パスポート、有価証券、カード及び貴重印刷物等の偽造防止及び改ざん防止を目的とした網点スクリーンが開示されている（特許文献１）。図１５は、偽造防止の網点スクリーンである。図１５に示す網点スクリーンは、コピー機による複製やスキャナからの直接印刷する複製に対して偽造防止効果があった。
【先行技術文献】
【特許文献】
【０００３】
【特許文献１】特許第５４２８０８６号公報
【発明の概要】
【発明が解決しようとする課題】
【０００４】
しかしながら、従来技術では、網点基本となる形状（図１５上段の「丸」形状や、図１５中段の漢字「壱」）が判明しやすく、印刷画像データを一旦取り込んだ後、解析し、入力し、網点形状に対応した複製を行うことは可能であった。
【０００５】
そこで、本発明は、上述の複製が出来ないように、変化する網点基本を暗から明（または明から暗）の網点ごとに変化させた偽造防止の網点スクリーンの作成方法、製版用刷版および印刷物を提供する。
【課題を解決するための手段】
【０００６】
上記目的を達成するために本件発明は以下の手段を用いた。
（請求項１記載の発明）
請求項１記載の発明は、変化が視認できる動画データに基づく網点スクリーンの作成方法であって、前記動画データは、動画の明度が増減する環境下で撮影されたもの、または、明度が増減するように加工されたものであり、網点スクリーンの作成方法は、動画データの時間軸を第１〜第ｎ（ｎは２以上の自然数とする）変化度段階に分割する変化分割手段と、前記明度の増減を第１〜第ｎ明度段階に分割する明度分割手段と、前記第１〜第ｎ変化度段階と前記第１〜第ｎ明度段階とをそれぞれを組み合わせる網点スクリーン作成手段を備え、前記網点スクリーン作成手段は、第１網点を第１変化度段階かつ第１明度段階とし、第２網点を第２変化度段階かつ第２明度段階とし、第３網点を第３変化度段階かつ第３明度段階とし、・・・第ｎ−１網点を第ｎ−１変化度段階かつ第ｎ−１明度段階とし、第ｎ網点を第ｎ変化度段階かつ第ｎ明度段階として、網点スクリーンを得るものであることを特徴とする。
（請求項２記載の発明）
請求項２記載の発明は、請求項１記載の網点スクリーンの作成方法において、前記動画データの前記明度の増減が、前記時間軸の始点から終点に応じて、明度０％〜５％から明度９５％〜１００％に増加または明度１００％〜９５％から明度５％〜０％に減少するもの
であることを特徴とする。
（請求項３記載の発明）
請求項３記載の発明は、請求項１又は２に記載の網点スクリーンの作成方法において、前記明度の増減は前記時間軸の始点から終点に応じて明度が増加する前記動画データであって、前記第１網点の暗部面積率をＳとし、前記第ｎ網点の暗部面積率をＦとし、前記網点スクリーンの暗部面積率それぞれは、前記第１網点＝Ｓ、前記第２網点＝Ｓ−［（Ｓ−Ｆ）／（ｎ−１）］×（２−１）、前記第３網点＝Ｓ−［（Ｓ−Ｆ）／（ｎ−１）］×（３−１）、・・・・前記第ｎ−１網点＝Ｓ−［（Ｓ−Ｆ）／（ｎ−１）］×（ｎ−２）、前記第ｎ網点＝Ｓ−［（Ｓ−Ｆ）／（ｎ−１）］×（ｎ−１）＝Ｆ  としたことを特徴とする。
【０００７】
（請求項４記載の発明）
請求項４記載の発明は、請求項１又は２に記載の網点スクリーンの作成方法において、前記明度の増減は前記時間軸の始点から終点に応じて明度が減少する前記動画データであって、前記第１網点の暗部面積率をＳとし、前記第ｎ網点の暗部面積率をＦとし、前記網点スクリーンの暗部面積率それぞれは、前記第１網点＝Ｓ、前記第２網点＝Ｓ＋［（Ｆ−Ｓ）／（ｎ−１）］×（２−１）、前記第３網点＝Ｓ＋［（Ｆ−Ｓ）／（ｎ−１）］×（３−１）、・・・・前記第ｎ−１網点＝Ｓ＋［（Ｆ−Ｓ）／（ｎ−１）］×（ｎ−２）、前記第ｎ網点＝Ｓ＋［（Ｆ−Ｓ）／（ｎ−１）］×（ｎ−１）＝Ｆ  としたことを特徴とする。
（請求項５記載の発明）
請求項５記載の発明は、請求項１乃至４のいずれかに記載の網点スクリーンの作成方法において、前記網点スクリーンの作成方法は、さらに各コマ明度調整手段を備え、各コマ明度調整手段は、前記動画データ（Ｄ）を、縦＝Ｙドット、横＝Ｘドット、コマ数＝ｎコマの動画とし、任意の変化率定数をａとし任意の初期定数をｂとし、  前記網点スクリーン（Ｈ１、Ｈ２、Ｈ３・・・Ｈｎ−１、Ｈｎ）のドット数それぞれは、
前記第１網点（Ｈ１）＝［（１／ｎ）×ａ＋ｂ］×ＸＹ、前記第２網点（Ｈ２）＝［（２／ｎ）×ａ＋ｂ］×ＸＹ、前記第３網点（Ｈ３）＝［（３／ｎ）×ａ＋ｂ］×ＸＹ、・・・・前記第ｎ−１網点（Ｈｎ−１）＝［{（ｎ−１）／ｎ}×ａ＋ｂ］×ＸＹ、前記第ｎ網点（Ｈｎ）＝［（ｎ／ｎ）×ａ＋ｂ］×ＸＹ  とすることを特徴とする。
（請求項６記載の発明）
請求項６記載の発明は、請求項１乃至５のいずれかに記載の網点スクリーンの作成方法において、前記動画データが、画質調整処理を施されたものであることを特徴とする。
【０００８】
（請求項７記載の発明）
請求項６記載の発明は、請求項１乃至６のいずれかに記載の網点スクリーンの作成方法において、前記動画データは、上下反転処理、左右反転処理、白黒反転処理、時間軸反転処理から選出される一または複数の反転処理をされたものであることを特徴とする。
（請求項８記載の発明）
請求項７記載の発明は、請求項１乃至７のいずれかに記載の網点スクリーンの作成方法によって作成されたことを特徴とする。
（請求項９記載の発明）
請求項９記載の発明は、請求項８記載の製版用刷版を用いて作成されたことを特徴とする。
【発明の効果】
【０００９】
本発明を用いると、図６に示すように少なくとも２つの網点基本形状（図６においては仏像とモナリザ）が、ブラックアウトまたはホワイトアウトする状態となる。そして、これらの中間映像からは、網点基本形状を導くのは困難である。図６は動画データのコマ抜粋図であり、この動画は、仏像からモナリザへの変化が視認できると共に明度が増減する
ように加工されたものである。
【図面の簡単な説明】
【００１０】
【図１】図１（ａ）（ｂ）は、明暗を備えた網点基本の２例を示す平面図である。
【図２】図２は、図１（ｂ）の網点基本の撮影における変化を示す説明図である。
【図３】図３は、図２に第１網点〜第ｎ網点を記入した説明図である。
【図４】図４は、時間軸反転処理を行った場合における第１網点〜第ｎ網点の説明図である。
【図５】図５は、左右反転処理および白黒反転処理を行った場合における第１網点〜第ｎ網点の説明図である。
【図６】図６は、仏像からモナリザに変化する動画データのコマ抜粋図である。
【図７】図７は、蝶、花、蕾の順で変化する動画データのコマ抜粋図である。
【図８】図８は、網点スクリーンのコンピューター処理を示すフローチャートである。
【図９】図９は、作成された網点スクリーンを用いて、暗から明へ変化させたグラデーション図である。
【図１０】図１０は、製版用刷版を用いて作成された印刷物の平面図である。
【図１１】図１１は、図８の処理で発生するトーンジャンプの例図である。
【図１２】図１２は、トーンジャンプを発生させない網点スクリーンのコンピューター処理を示すフローチャートである。
【図１３】図１３は、図１２の処理によって、トーンジャンプを抑制した例図である。
【図１４】図１４は、従来の網点スクリーン（ハーフトーンスクリーン）のグラデーション図である。
【図１５】図１５は、従来の偽造防止を目的とした網点スクリーンの説明図である。
【発明を実施するための形態】
【００１１】
以下にこの発明の網点スクリーンの作成方法、製版用刷版および印刷物を実施例として示す各図と共に説明する。
【実施例１】
【００１２】
（１．本発明の全体的な流れについて）
本発明は、動画データＤの撮影および編集から網点スクリーンＨ１〜Ｈｎを作成する第一段階と、作成した網点スクリーンＨ１〜Ｈｎを用いて、写真、イラスト、ロゴマークなどの対象画像をトーン化して出力する第二段階とに分けることができる。
第一段階において、動画データＤの各コマは、一定の閾値で２階調モノクロに変換されることで網点スクリーンＨ１〜Ｈｎを作成するものである。
【００１３】
（２．網点基本形状Ｈについて）
図１（ａ）と図１（ｂ）は、明暗を備えた網点基本の２例を示す平面図である。
一定の閾値で２階調モノクロに変換に変換し、トーン化する場合、図１（ａ）に示すように、背景も有色であることが複製を困難とさせるので好ましい。ここでは、説明の便宜上、図１（ｂ）のように背景を白色固定し、逆「く」の字型の網点基本形状Ｈを例示する。
【００１４】
（３．動画データＤの時間変化と明度の増減について）
図２は、図１（ｂ）の網点基本の撮影における変化を示す説明図である。
反時計回りで回転する前述の逆「く」の字型の網点基本形状Ｈを撮影した動画データＤの場合、動画データＤの時間軸Ｔを第１〜第ｎ（ｎは２以上の自然数とする）変化度段階Ｔ１、Ｔ２、Ｔ３・・・Ｔｎ−１、Ｔｎに分割すると、網点基本形状Ｈは図２の縦軸に対
応する。
そして、前述の逆「く」の字型の網点基本形状Ｈは、図１（ｂ）において、上方が白色で下方が黒色のグラデーションとなっている。このような網点基本形状Ｈに対し、距離１ｍ開けて光源を設置し、撮影用カメラの絞りを一定とし、光源を暗から明（例えば０．１ルクスから１０００００ルクス）へと徐々に変化させる。このように明度が増減する状況で網点基本形状Ｈを、明度Ｂの増減を第１〜第ｎ明度段階Ｂ１、Ｂ２、Ｂ３・・・Ｂｎ−１、Ｂｎに分割すると、網点基本形状Ｈは図２の横軸に対応する。
【００１５】
（４．網点スクリーンについて）
図３は、図２に第１網点〜第ｎ網点を記入した説明図である。
網点基本形状Ｈを時間軸Ｔの始点である第１変化度段階Ｔ１から終点である第ｎ変化度段階Ｔｎに応じて、（すなわち、時間の経過に対応して、）明度Ｂを第１〜第ｎ明度段階Ｂ１、Ｂ２、Ｂ３・・・Ｂｎ−１、Ｂｎ（光源を暗から明）に増加させる。
このようにすると、図３に示すように、ｎ＝９で、４５°ずつ反時計回りに回転しつつ、暗部面積が減少する網点スクリーン（Ｈ１、Ｈ２、Ｈ３・・・Ｈ８、Ｈ９）が作成される。
【００１６】
より具体的には、０°〜３６０°を毎秒撮影した３６０秒動画であると、第１網点Ｈ１を０秒時点の０°回転である第１変化度段階Ｔ１かつ０秒時の第１明度段階Ｂ１とし、第２網点Ｈ２を４５秒時点の４５°回転である第２変化度段階Ｔ２かつ４５秒時の第２明度段階Ｂ２とし、第３網点Ｈ３を９０秒時点の９０°回転である第３変化度段階Ｔ３かつ９０秒時の第３明度段階Ｂ３とし、・・・第８網点Ｈ８を３１５秒時点の３１５°回転である第８変化度段階Ｔ８かつ３１５秒時の第８明度段階Ｂ８とし、第９網点Ｈ９を３６０秒時点の３６０°回転である第９変化度段階Ｔ９かつ３６０秒時の第９明度段階Ｂ９としカラーまたはグレイスケールの画像を得る。その後、所定の閾値（例えば中央値、５０％、８ビットの２５６段階グレイスケールであれば１２８）を用いて二値化し、図３に示す単純白黒の網点スクリーン（Ｈ１、Ｈ２、Ｈ３・・・Ｈ８、Ｈ９）を得るものである。
そして、単純白黒に加工する前段階のカラーまたはグレイスケールの画像は、時間軸Ｔの始点Ｔ１から終点Ｔ９に応じて、明度０％〜５％から明度９５％〜１００％に増加するものが好ましい。より好ましくは、明度Ｂが、０％から１００％に増加するものである。
【００１７】
（５．白黒面積比の調整について）
動画データＤの撮影は、連続的に「光源の暗から明」を行うのが好ましい。しかし、実際の撮影において、前述の「光源の暗から明」と「閾値による単純白黒化」は、逆「く」の字型の網点基本形状Ｈの暗部面積が、１２．５％ずつ減少するものではない。
すなわち、第１網点Ｈ１を０秒時点の０°回転である第１変化度段階Ｔ１かつ０秒時の暗部面積率１００％の第１明度段階Ｂ１とし、第２網点Ｈ２を４５秒時点の４５°回転である第２変化度段階Ｔ２かつ４５秒時の暗部面積率８７．５％の第２明度段階Ｂ２とし、第３網点Ｈ３を９０秒時点の９０°回転である第３変化度段階Ｔ３かつ９０秒時の暗部面積率７５％の第３明度段階Ｂ３とし、・・・第８網点Ｈ８を３１５秒時点の３１５°回転である第８変化度段階Ｔ８かつ３１５秒時の暗部面積率１２．５％の第８明度段階Ｂ８とし、第９網点Ｈ９を３６０秒時点の３６０°回転である第９変化度段階Ｔ９かつ３６０秒時の暗部面積率０％の第９明度段階Ｂ９としカラーまたはグレイスケールの画像を得る。という光源調整および閾値調整は、困難である。しかしながら、網点スクリーンとしては、急激な暗部面積の増減（いわゆる、トーンジャンプ）を回避する必要がある。
【００１８】
したがって、所定時間の区切りではなく、一定の暗部面積の増減を基準として、網点スクリーンＨ１、Ｈ２、Ｈ３・・・Ｈｎ−１、Ｈｎを得るには、以下の方法を用いる。
第１網点Ｈ１の暗部面積率をＳとし、第ｎ網点Ｈｎの暗部面積率をＦとし、前記網点スクリーンＨ１、Ｈ２、Ｈ３・・・Ｈｎ−１、Ｈｎの暗部面積率それぞれは、第１網点Ｈ１
＝Ｓ、第２網点Ｈ２＝Ｓ−［（Ｓ−Ｆ）／（ｎ−１）］×（２−１）、第３網点Ｈ３＝Ｓ−［（Ｓ−Ｆ）／（ｎ−１）］×（３−１）、・・・・第ｎ−１網点Ｈｎ−１＝Ｓ−［（Ｓ−Ｆ）／（ｎ−１）］×（ｎ−２）、第ｎ網点Ｈｎ＝Ｓ−［（Ｓ−Ｆ）／（ｎ−１）］×（ｎ−１）＝Ｆ  とする。
図３に示す、ｎ＝９の場合、第１網点Ｈ１＝Ｓ＝１００％、第９網点Ｈ９＝Ｆ＝０％であるから、前記網点スクリーンＨ１、Ｈ２、Ｈ３・・・Ｈ８、Ｈ９の暗部面積率それぞれは、第１網点Ｈ１＝１００、第２網点Ｈ２＝１００−［（１００）／（９−１）］×（２−１）＝８７．５、前記第３網点Ｈ３＝１００−［（１００）／（９−１）］×（３−１）＝７５、・・・第８網点Ｈ８＝１００−［（１００）／（９−１）］×（８−１）＝１２．５、第９網点Ｈ９＝１００−［（１００）／（９−１）］×（９−１）＝０となる。
【００１９】
上述の計算結果に基づき、０°〜３６０°を毎秒撮影した３６０秒動画である場合は、一定の暗部面積の増減を基準として以下のように作成する。撮影中に白黒変換し暗部面積をリアルタイムで確認しても良い。
第１網点Ｈ１を０秒時点の０°回転である第１変化度段階Ｔ１かつ０秒時の暗部面積率１００％の第１明度段階Ｂ１とし、第２網点Ｈ２を３８秒時点の３８°回転である第２変化度段階Ｔ２かつ３８秒時の暗部面積率８７．５％の第２明度段階Ｂ２とし、第３網点Ｈ３を９８秒時点の９８°回転である第３変化度段階Ｔ３かつ９８秒時の暗部面積率７５％の第３明度段階Ｂ３とし、・・・第８網点Ｈ８を３２２秒時点の３２２°回転である第８変化度段階Ｔ８かつ３２２秒時の暗部面積率１２．５％の第８明度段階Ｂ８とし、第９網点Ｈ９を３６０秒時点の３６０°回転である第９変化度段階Ｔ９かつ３６０秒時の暗部面積率０％の第９明度段階Ｂ９としカラーまたはグレイスケールの画像を得る。
【００２０】
（６．網点スクリーンの出力について）
このようにして得られたカラーまたはグレイスケールの画像に基づき、一定の閾値で２階調モノクロに変換すると、変化が不規則（図３の場合は、回転角度が不規則）なものとなり、複製が困難な網点スクリーン（Ｈ１〜Ｈｎ）を得ることができる。
具体的には、コンピューターのソフトウェアに、動画データＤの時間軸Ｔを第１〜第ｎ（ｎは２以上の自然数とする）変化度段階Ｔ１、Ｔ２、Ｔ３・・・Ｔｎ−１、Ｔｎに分割する変化分割手段と、前記明度Ｂの増減を第１〜第ｎ明度段階Ｂ１、Ｂ２、Ｂ３・・・Ｂｎ−１、Ｂｎに分割する明度分割手段と、前記第１〜第ｎ変化度段階Ｔ１、Ｔ２、Ｔ３・・・Ｔｎ−１、Ｔｎと前記第１〜第ｎ明度段階Ｂ１、Ｂ２、Ｂ３・・・Ｂｎ−１、Ｂｎとをそれぞれを組み合わせる網点スクリーン作成手段を備えさせることにより、動画データＤを入力すると網点スクリーンＨ１、Ｈ２、Ｈ３・・・Ｈｎ−１、Ｈｎを出力させることができる。ｎ＝２５６として８ビットの白黒濃淡に対応する網点スクリーンＨ１〜Ｈ２５６とするのが好ましい。
【００２１】
（７．明から暗の撮影について）
動画データＤは、暗から明の状況下の撮影を説明したが、明から暗の撮影であってもよい。撮影が明から暗の場合は、以下のようになる。
第１網点Ｈ１の暗部面積率をＳとし、第ｎ網点Ｈｎの暗部面積率をＦとし、網点スクリーンＨ１、Ｈ２、Ｈ３・・・Ｈｎ−１、Ｈｎの暗部面積率それぞれは、第１網点Ｈ１＝Ｓ、第２網点Ｈ２＝Ｓ＋［（Ｆ−Ｓ）／（ｎ−１）］×（２−１）、第３網点Ｈ３＝Ｓ＋［（Ｆ−Ｓ）／（ｎ−１）］×（３−１）、・・・・前記第ｎ−１網点Ｈｎ−１＝Ｓ＋［（Ｆ−Ｓ）／（ｎ−１）］×（ｎ−２）、第ｎ網点Ｈｎ＝Ｓ＋［（Ｆ−Ｓ）／（ｎ−１）］×（ｎ−１）＝Ｆ  となる。
【００２２】
（８．動画データの事前処理について）
撮影した動画にシャープネス処理やノイズ処理などの画質調整処理を行い、入力前の動画データＤを得ることもできる。また、撮影した動画に、上下反転処理、左右反転処理、
白黒反転処理、時間軸反転処理から選出される一または複数の反転処理を行い、動画データＤを得ることができる。
例えば、図４は、時間軸反転処理を行った場合における第１網点〜第ｎ網点の説明図であり、図５は、左右反転処理および白黒反転処理を行った場合における第１網点〜第ｎ網点の説明図である。
【００２３】
（９．動画データの変化内容について）
動画データの変化内容は、矢印の回転等に限られることはなく、写真の合成変化などを用いても良い。例えば、図６は、仏像からモナリザに変化する動画データのコマ抜粋図であり、図７は、蝶、花、蕾の順で変化する動画データのコマ抜粋図である。
図６において開始時の仏像と終了時のモナリザの両方は、ブラックアウトまたはホワイトアウトしている。そして、これらの中間映像からは、モナリザと仏像を元々のデータとして抽出するのは困難である。
【００２４】
（１０．第一段階について）
図８は、網点スクリーンのコンピューター処理を示すフローチャートである。図８のフローチャートに基づき第一段階をまとめる。
明度が変化すると共に動画対象物Ｈの変化が確認できるように動画事前編集を行い、入力前の動画データＤを得る。この編集で、シャープネス処理やノイズ処理などの画質調整処理や、上下反転処理、左右反転処理、白黒反転処理、時間軸反転処理から選出される一または複数の反転処理を行うことができる。これらの処理は、ハードウェアをＡｐｐｌｅ
ＭａｃＰｒｏ（登録商標）とし、静止画および動画処理ソフトにＡｄｏｂｅ  Ｐｈｏｔｏｓｈｏｐ（登録商標）を用い、動画作成ソフトＡｐｐｌｅ  ｉＭｏｖｉｅ（登録商標）を用い、静止画同士をブレンドして動画にするＭｏｒｐｈ  Ｅｘｐｏｒｔｅｒを用いることにより行った。
次に、作成した動画データＤをソフトウェアに入力する。
【００２５】
入力された動画データＤは、網点パラメータ設定手段により２階調モノクロに変換する為の閾値が設定され、前述の変化分割手段と明度分割手段によって動画の各コマに分解される。前述の閾値は、印刷時に増加する面積を除くように、印刷機のドットゲインカーブの値を除くように算出されたものである。例えば、「暗部面積−ドットゲインカーブの値＝２階調モノクロに変換後の面積」である。
網点スクリーン作成手段は、分解された動画データＤの各コマを、変化度段階Ｔ１〜Ｔｎに応じた（すなわち、時間の経過に対応した）ものとするか、明度段階Ｂ１〜Ｂｎに応じた（すなわち、２階調モノクロに変換後の面積に対応した）ものとするか、を選択する。また、網点スクリーン作成手段は、画像のシャープネス処理や解像度変換処理を行うこともできる。そして、網点スクリーン作成手段は、網点スクリーンＨ１〜Ｈｎを出力する。これらの処理は、Ｃ＋＋の自社プログラミングにより行った。
【００２６】
（１１．第二段階について）
出力された網点スクリーンＨ１〜Ｈｎを用いて、第二段階の演算手段は、写真、イラスト、ロゴマークなどの対象画像となる網点化用元データを網点化（トーン化）して出力する。２階調モノクロの網点スクリーンＨ１〜Ｈｎは、印刷原色（ブラック、シアン、マゼンタ、イエローなどプロセスカラーや、その他の色）の濃淡に対応して用いることができ、対象画像をモノクロハーフトーンやカラーハーフトーンとすることができる。これらの処理は、ＯｐｅｎＳｏｆｔのＧｏｓｔＳｃｒｉｐｔに  Ｃ＋＋の自社プログラミングを追加することにより行った。
モノクロハーフトーンまたはカラーハーフトーンとなった対象画像は、網点化されたデータ（ＢＭＰ、ＪＰＥＧ、ＴＩＦＦ、ＧＩＦなど）として、出力される。網点化されたデータを用いて、網点化出力手段（刷版露光機や各種プリンターなど）から製版用刷版や印
刷物を得ることができる。前記製版用刷版を用いて、印刷物を作成しても良い。
【００２７】
（１２．印刷物について）
図９は、作成された網点スクリーンを用いて、暗から明へ変化させたグラデーション図である。図１０は、製版用刷版を用いて作成された印刷物の平面図である。
より具体的には、図９に示すような網点スクリーンのグラデーションに基づいて、印刷物は、図１０に示すような態様で作成される。
図９に示すように３つの網点基本形状（図９においては蕾と花と蝶）のうち左右端の２つ（蕾と蝶）が、ブラックアウトまたはホワイトアウトする状態となる。そして、これらの中間映像からは、網点基本形状を導くのは困難である。したがって、複製が困難な印刷物となる。
【実施例２】
【００２８】
（１３．実施例２について）
実施例１記載の発明であると、動画データＤの明度Ｂ変化が増加のみ又は減少のみであると対応できるものである。しかしながら、たとえ撮影時の照明が明から暗または暗から明に変化するものであったとしても、撮影対象物に大きな変化（黒い扉を開けると、白い背景が見える等）があると、網点スクリーンＨ１〜Ｈｎがトーンに偏りが生じたり、連続でないものとなったりした（いわゆる、トーンジャンプを生じた）。例えば図１１は、図８の処理でトーンジャンプを生じた例の図である。
実施例２では、前述の実施例１を踏まえ、トーンジャンプ判別手段および各コマ明度調整手段を備えることによって、この問題を解決した。
【００２９】
（１４．トーンジャンプ判別手段および各コマ明度調整手段について）
図１２は、トーンジャンプを発生させない網点スクリーンのコンピューター処理を示すフローチャートである。
実施例１の（１０．第一段階について）と同様に、動画データＤは、変化分割手段および明度分割手段によって、図７に示すような態様で分割される。
変化分割され明度分割された動画データＤは、図１２に示すようにトーンジャンプ判別手段によって、ＹＥＳ（トーンジャンプが有り）、ＮＯ（トーンジャンプ無し）に分岐される。ＮＯ（トーンジャンプ無し）の分岐先は、実施例１と同様である。
ＹＥＳ（トーンジャンプが有り）に分岐した場合、各コマ明度調整手段に出力される。
【００３０】
（１５．各コマ明度調整手段について）
各コマ明度調整手段は、前記動画データＤを、縦＝Ｙドット、横＝Ｘドット、コマ数＝ｎコマの動画とし、網点スクリーンＨ１、Ｈ２、Ｈ３・・・Ｈｎ−１、Ｈｎのドット数の増減を任意の変化率定数をａとし任意の初期定数をｂとし、  前記網点スクリーンＨ１、Ｈ２、Ｈ３・・・Ｈｎ−１、Ｈｎのドット数それぞれは、第１網点Ｈ１＝［（１／ｎ）×ａ＋ｂ］×ＸＹ、第２網点Ｈ２＝［（２／ｎ）×ａ＋ｂ］×ＸＹ、第３網点Ｈ３＝［（３／ｎ）×ａ＋ｂ］×ＸＹ、・・・・第ｎ−１網点Ｈｎ−１＝［{（ｎ−１）／ｎ}×ａ＋ｂ］×ＸＹ、第ｎ網点Ｈｎ＝［（ｎ／ｎ）×ａ＋ｂ］×ＸＹとするものである。
例えば、動画データＤを、縦＝１６ドット、横＝１６ドット、コマ数＝２５６コマの動画とし、任意の変化率定数ａ＝１とし任意の初期定数をｂ＝０とした場合、網点スクリーンＨ１、Ｈ２、Ｈ３・・・Ｈｎ−１、Ｈｎは、縦×横＝２５６ドット中に以下に示す、黒ドットと、その他の白ドットとして白黒化される。
すなわち、網点Ｈ１、Ｈ２、Ｈ３、Ｈ４、・・・・・・、Ｈ２５３、Ｈ２５４、Ｈ２５５、Ｈ２５６は、
第１網点Ｈ１＝［（１／２５６）×１＋０］×２５６＝１ドット  （ほぼ白）、
第２網点Ｈ２＝［（２／２５６）×１＋０］×２５６＝２ドット、
第３網点Ｈ３＝［（３／２５６）×１＋０］×２５６＝３ドット、
第４網点Ｈ４＝［（４／２５６）×１＋０］×２５６＝４ドット、・・・・・・
第２５３網点Ｈ２５３＝［（２５３／２５６）×１＋０］×２５６＝２５３ドット、
第２５４網点Ｈ２５４＝［（２５４／２５６）×１＋０］×２５６＝２５４ドット、
第２５５網点Ｈ２５５＝［（２５５／２５６）×１＋０］×２５６＝２５５ドット、
第２５６網点Ｈ２５６＝［（２５６／２５６）×１＋０］×２５６＝２５６ドット  （真っ黒）
となるのである。
【００３１】
（１６．任意の変化率定数ａと任意の初期定数ｂについて）
任意の初期定数ａを変化させることによって、一次関数の傾きを調節するのと同様に、グラデーションの変化の速度を調節することができる。任意の初期定数ａは、０．５〜１．５の間で定められるものであり、０．９〜１．１の範囲とするのが好ましい。
例えば、ａ＝１．１とすると
第１００網点Ｈ１００＝［（１００／２５６）×１．１＋０］×２５６＝１１０ドット
となり、黒への変化が正比例よりも１．１倍大きいグラデーションとなる。
次に、任意の初期定数ｂを変化させることによって、一次関数のＹ軸切片を調節するのと同様に、グラデーションの始点を調節することができる。
例えば、ｂ＝−１であると
第１網点Ｈ１＝［（１／２５６）×１−１］×２５６＝０ドット  （真っ白）
にすることができる。
【００３２】
（１７．網点スクリーンの出力について）
各コマ明度調整手段からの出力は、再度、変化分割手段、明度分割手段によって微調整され、ＮＯ（トーンジャンプ無し）の分岐先である、網点スクリーン作成手段に到達する。
【産業上の利用可能性】
【００３３】
本発明は、紙幣、パスポート、有価証券、カード及び貴重印刷物等の偽造防止及び改ざん防止が必要とされる印刷物において、繊細な網点構成を要する特殊網点の網点スクリーンの作成方法、製版用刷版および印刷物として利用できる。
【符号の説明】
【００３４】
Ｄ    動画データ
Ｂ    明度
Ｂ１、Ｂ２、Ｂ３・・・Ｂｎ−１、Ｂｎ    明度段階
Ｔ    時間軸
Ｔ１、Ｔ２、Ｔ３・・・Ｔｎ−１、Ｔｎ    変化度段階
Ｈ    網点基本形状
Ｈ１、Ｈ２、Ｈ３・・・Ｈｎ−１、Ｈｎ    網点スクリーン
【図１】
2018051851.tif 000003
【図２】
2018051851.tif 000004
【図３】
2018051851.tif 000005
【図４】
2018051851.tif 000006
【図５】
2018051851.tif 000007
【図６】
2018051851.tif 000008
【図７】
2018051851.tif 000009
【図８】
2018051851.tif 000010
【図９】
2018051851.tif 000011
【図１０】
2018051851.tif 000012
【図１１】
2018051851.tif 000013
【図１２】
2018051851.tif 000014
【図１３】
2018051851.tif 000015
【図１４】
2018051851.tif 000016
【図１５】
2018051851.tif 000017